【事件の表示】
　昭和６２年特許願第２１３９８１号「音発生装置の音量調整装置」拒絶査定に対する審判事件（平成１年３月６日出願公開、特開平１−５７８９８）について、次のとおり審決する。
【結論】
　本件審判の請求は、成り立たない。
【理由】
Ｉ．手続の経緯及び本願発明の要旨
　本件審判の請求に係る特許願（以下、「本願」という）は、昭和６２年８月２７日に出願されたものであって、本願発明の要旨は、平成１１年４月５日付けの手続補正書により全文にわたり補正された明細書及び図面の記載からみて、その特許請求の範囲に記載された以下のとおりのものと認める。
「波形発生器を有する第１の音発生チャンネルと、
　波形発生器とノイズ発生器を並列に有する第２の音発生チャンネルと、
　前記第１の音発生チャンネルに設けられ、前記波形発生器が発生する出力音を所定のレベルに減衰する第１の減衰器と、
　前記第２の音発生チャンネルに設けられ、前記波形発生器と前記ノイズ発生器を切り換えて切り換えられた発生器に出力音を出力させるセレクタと、
　前記第２の音発生チャンネルに設けられ、前記セレクタによって切り換えられた発生器が発生する出力音を所定のレベルに減衰する第２の減衰器と、
　前記第１および第２の減衰器によってそれぞれ減衰させられた複数の出力音を混合して全体音にする混合手段と、
　前記全体音の振幅レベルを調整する調整手段を備えたことを特徴とする音発生装置の音量調整装置。」
ＩＩ．引用刊行物及びその記載
　これに対して、当審において平成１１年１月５日付けで通知した拒絶の理由で引用した刊行物は、特開昭５８−３５５９７号公報（以下、刊行物１という）及び特開昭５７−１９５２９３号公報（以下、刊行物２という）である。
▲１▼刊行物１には、電子楽器の自動演奏装置の発明について、以下の記載がある。
・「この発明は、複数パートから成る楽曲を１パートごとに演奏してそれぞれ記憶させ、記憶した複数パートを同時に再生して多重演奏を行わせるようにした電子楽器の自動演奏装置に関する。」
・「各操作子Ｔ１−ｓ乃至Ｔ１５−ｓのトーンボリュームＶＲから出力される音色別音量レベル設定データはセレクタ１５に夫々与えられる。・・・
・・・途中略・・・
　乗算器１６のＣ入力にはエキスプレッションペダル１７の操作量に対応した音量制御データが与えられる。・・・・・・・
・・・途中略・・・
　それらの乗算結果をトーンレベルデータＴＬ１及びＴＬ２として夫々出力する。ここで、トンレベルデータＴＬ１は音色コードＴＣ１によって示された音色の音量レベルを制御するデータであり、ＴＬ２は音色コードＴＣ２によって示された音色の音量レベルを制御するデータである。」（第３頁右上欄第１〜１７行）
・「この実施例では、楽音形成回路２３は１５個の発音チャンネルｃｈ１乃至ｃｈ１５を有しており、これらのチャンネルｃｈ１乃至ｃｈ１５が１５個の音色Ｔ１乃至Ｔ１５に固定的にそれぞれ対応している。」（第１０頁右下欄第１９行〜第１頁左上欄第２行）
・「以上のようにして、楽音演奏情報Ｍ１乃至ＭＤ２におけるキーコードＫＣ、キーオン信号ＫＯＮ及びトーンレベルデータＴＬ１（またはＴＬ２）の内容に応じて各チャンネルタイミングに対応してデータメモリ２２にそれぞれ記憶される。
　楽音形成回路２３における各発音チャンネルｃｈ１乃至ｃｈ１５は、ラッチ回路７６、音源回路７７、トーンフィルタ７８、開閉回路７９及び音量制御回路８０をそれぞれ含んでいる。図示の都合上チャンネルｃｈ１のみ内部構成を示したが他のチャンネルｃｈ２乃至ｃｈ１５も同一構成である。」（第１２頁左上欄第１６行〜同頁右上欄第７行）
・「ラッチ回路７６にラッチされた演奏情報のうちキーコードＫＣが音源回路７７に与えられ、キーオン信号ＫＯＮが開閉回路７９に与えられ、トーンレベルデータＴＬｌ（またはＴＬ２）が音量制御回路８０に与えられる。
　音源回路７７はキーコードＫＣに対応する音高の音源信号を発生する。
　トーンフィルタ７８は音源信号の音色を制御するものである。各チャンネルｃｈ１乃至ｃｈ１５のトーンフィルタ７８は、各々に対応する所定の音色Ｔ１乃至Ｔ１５を実現するフィルタ特性を持つものである。開閉回路７９は、トーンフィルタ７８から与えられる楽音信号に対してキーオン信号ＫＯＮに応じた振幅エンベロープを付与する回路である。
　音量制御回路８０は、開閉回路７９から与えられる楽音信号の音量レベルをトーンレベルデータＴＬ１（またはＴＬ２）に応じて制御する回路である。各チャンネルｃｈ１乃至ｃｈ１５から出力された楽音信号はミキシングされてサウンドシステム８１に与えられる。
　以上の通り、演奏情報として押鍵情報のみならず音色関連情報も記録するようにしたので、記録された音色の通り演奏音を再生することができる。」（第１２頁左下欄第２行〜同頁右下欄第４行）
・「また、楽音形成回路２３の各チャンネルｃｈ１乃至ｃｈ１５を各音色（Ｔ１乃至Ｔ１５）に固定的に対応させているが、これに限らないのは勿論である。例えば、楽音形成回路２３において音色コードに応じて発生信号を可変制御できる可変トーンジェネレータを演奏情報Ｍ１乃至ＭＤ２に対応する数（１０個）だけ設け（１個の可変トーンジェネレータを時分割利用してもよい）、各演奏情報Ｍ１乃至ＭＤ２を各可変トーンジェネレータに直接入力するようにしてもよい。
　・・・途中略・・・
　以上説明したようにこの発明によれば、押圧鍵情報のみならず音色情報も、更には音量制御情報も、記録するようにしたので、再生時における面倒な音色、音量設定操作等が不要であり、演奏音の音高及び演奏タイミングに加えて音色及び音量も自動的に再現することができ、完全度の高い自動演奏が実現できるようになる。」
（第１２頁右下欄第１４行〜第１３頁左上欄第行）
　以上の記載を各図面を参照して整理すると、刊行物１には、結局、以下のとおりの発明が記載されているものと認める。
「キーコードに対応する音高の音源信号を発生する音源回路と、
　音源信号の音色を制御するトーンフィルタと、
　トーンフィルタから与えられる楽音信号に対してキーオン信号に応じた振幅エンベロープを付与する開閉回路と、
　開閉回路から与えられる楽音信号の音量レベルをトーンレベルデータに応じて制御する音量制御回路とからなる発音チャンネルを複数有する楽音形成回路と、
　各発音チャンネルから出力された楽音信号をミキシングして発音するサウンドシステムとを備えた電子楽器」
▲２▼刊行物２には、ディジタル的にリズム音（打楽器音）を生成出力するリズム音発生装置に関する発明について、以下の記載がある。
・「この発明は、以上の点に鑑みてなされたもので、ノイズデータと、正弦波データ、三角波データ等のノイズデータ以外の複数のリズム音源波形データとをそれぞれディジタル的に生成し、このデータに対してエンベロープをかけ、エンベロープ制御されたリズム音源波形データを合成し、この合成されたリズム音源データと上記ノイズデータとの排他的論理和をとることによりディジタル的なリズム音データを得るようにしたリズム音発生装置を提供することを目的とする。」（第２頁左上欄第９〜１８行）
・「第２図は、この制御部３の詳細を示すもので、いま、カウンタ２の出力が４ビットで入力する。
　即ち、その４ビット入力を下位ビット側からＰ１、Ｐ２、Ｐ３、Ｐ４とする。そして、入力信号Ｐ１はアンドゲート３１〜３１２に印加され、・・・・・・入力信号Ｐ４はアンドゲート３４、３８、３１２に印加されている。
　そして、アンドゲート３１〜３１２には更に、ＣＰＵ４からライン４−１〜４−１２を介して、ゲート制御信号が夫々与えられ、また、アンドゲート３１〜３４出力は、オアゲート３１３を介してエンベロープクロックＥ（１）として、エンベロープカウンタ５−１に印加され、・・・・・・５−３に印加されている。
　したがって、例えば、エンベロープクロックＥ（１）を最も速いクロックとするには、・・・
　・・・途中略・・・
　他のエンベロープクロックＥ（２）、Ｅ（３）の速度の制御も、上記エンベロープクロックＥ（１）同様に行えることは勿論である。そして、例えば三角波系、ノイズ系のリズム音を出力しないようにする場合は、ライン４−５〜４−１２に”０”信号を与えれば、エンベロープクロックＥ（２）、Ｅ（３）が出力しなくなり、三角波系、ノイズ系のリズム音が後述するように出力しなくなる。同様にして、各系統のリズム音を出力しないようにするには、対応するライン４−１〜４−４、４−５〜４−８、４−９〜４１２に対し選択的に、”０”信号を与えれば良い。」
（第２頁右上欄第８行〜同頁右下欄第７行）
・「このようにして、ＣＰＵ４からライン４−１３に１発信号が供給された時点から、徐々に減衰するエンベロープがかけられたサイン波データのリズム音が放音されることになる。
　三角波系のリズム音のみを生成出力する場合には、ＣＰＵ４からライン４−５〜４−８のうち、いずれか１本のラインにのみ”１”信号を供給し、次にライン４−１４に１発信号を供給すればよい。
　また、ノイズ系のリズム音のみを生成出力する場合には、ＣＰＵ４からライン４−９〜４−１２のうち、いずれか１本のラインにのみ”１”信号を供給し、次いで、ライン４−１５に１発信号を供給すればよい。」（第４頁右下欄第５〜１７行）
　以上の記載を各図面を参照して、整理すると、刊行物２には、結局、以下のとおりの発明が記載されているものと認める。
「サイン波発生回路、三角波発生回路及びノイズ発生回路を並列に有し、
　サイン波発生回路からのサイン波データを用いたサイン波系リズム音及び三角波発生回路からの三角波データを用いた三角波系リズム音を加算する加算回路の出力とノイズ発生回路からのノイズデータを用いたノイズ系リズム音を合成する合成回路を有し、
　サイン波系リズム音、三角波系リズム音及びノイズ系リズム音のうち１乃至３のリズム音を選択的に出力、又は、合成して、放音するようにしたリズム音発生装置」
ＩＩＩ．対比・判断
　本願発明と刊行物１記載の発明とを対比する。
　　刊行物１記載の発明において、音量制御回路（８０）は、与えられた楽音信号の音量を制御するトーンレベルデータ（ＴＬ１，ＴＬ２）が、操作子Ｔ１−Ｓ乃至Ｔ１５−ＳのトーンボリュームＶＲから出力される音色別音量レベル設定データとエキスプレッションペダル１７から出力される音色制御データから形成され、音色コード（ＴＣ１又はＴＣ２）によって示された音色の音量レベルを制御するものである。
　各チャンネルごとに設けられた音源回路及び音量制御回路が、それぞれ、本願発明における波形発生器及び減衰器に相当することは明らかであり、音量調整部分に着目して対比すると、両発明は、
「波形発生器を有する音発生チャンネルと、
　前記音発生チャンネルに設けられ、前記波形発生器が発生する出力音を所定のレベルに減衰する減衰器と、
　前記減衰器によって減衰させられた複数の出力音を混合して全体音にする混合手段と、
　を備えたことを特徴とする音発生装置の音量調整装置。」である点で一致し、以下の点で相違するものと認める
相違点
▲１▼音発生チャンネルについて、本願発明が波形発生器とノイズ発生器を並列に有する第２の音発生チャンネルを備え、その第２の音発生チャンネルに設けられ、前記波形発生器と前記ノイズ発生器を切り換えて切り換えられた発生器に出力音を出力させるセレクタを有し、前記第２の音発生チャンネルに設けられ、前記セレクタによって切り換えられた発生器が発生する出力音を所定のレベルに減衰する第２の減衰器を備えているのに対して、刊行物１記載の発明では、複数の音発生チャンネルがすべて単一の音源回路を備えている点
▲２▼本願発明が、混合後の全体音の振幅レベルを調整する調整手段を備えているのに対して、刊行物１記載の発明は、混合後の全体音に対する音量調整手段について規定していない点
ＩＶ．判断
以下、相違点について検討する。
（１）相違点▲１▼について
　刊行物２記載の発明のリズム音発生装置は、ノイズデータと正弦波データ、三角波データ等のノイズデータ以外の音源波形データを合成又は、選択的に使用して所望のリズム音を発生するものである。
　音源波形データの選択は、ＣＰＵからのライン４−ｌ〜４−４、４−５〜４−８、４−９〜４−１２に対する”０”又は”１”で行うものである。
　波形データの選択的使用による複数リズム音の選択処理動作が、本願発明の「切り換え」動作に相当することは明らかであり、したがって、刊行物２記載の発明がリズム音を選択的に切り換えて発音するためのセレクタを有しているということができる。
　又、刊行物２記載のものが、並列に設けられた複数の音源波形データ発生部を用いて、全体として、合成した１つのリズム音の発音、又は、選択された１つのリズム音の発音をするものであることからみて、リズム音発生のための１つのチャンネルを構成しているとみることができ、刊行物１記載のものにおいて、リズム音発生のための第２の音発生チャンネルとして、採用することは、リズム音の音量調整のための減衰器の採用と共に、格別の困難性もなく、必要に応じて適宜に採用し得る範囲内のことと認める。
（２）相違点▲２▼について
　刊行物１記載のものにおいて、ミキシング後の楽音信号はサウンドシステム（８１）を介して放音されるものである。
　サウンドシステムに入力するミキシング後の全体音の音量を調整する手段を備えることは、必要に応じて適宜に採用し得る範囲内のことである。
　以上、各相違点において、本願発明が採用した点は、いずれも刊行物１記載の発明においても、適宜に採用し得る範囲内のことであり、又、本願発明のようにしたことによって奏する効果も、予測し得る範囲内のものであって、格別顕著なものとも認められない。
　結局、本願発明は、前記各刊行物記載の発明に基づいて、当業者が容易に発明をすることができたものと認める。
Ｖ．結び
　以上のとおりであるから、本願発明は、特許法２９条第２項の規定により特許を受けることができないとした原査定は妥当なものである。
　よって、結論のとおり審決する。